(57)【要約】      （修正有）【課題】連続紙に画像を記録する印刷装置において基準部材を読み取ることができる手段を提供する。【解決手段】印刷装置において、光学式の読取部７４は、は、連続紙１１の搬送路２２において画像記録部よりも搬送向きの下流に位置する。姿勢変化機構は、読取部を、読取部が搬送路へ向く第１姿勢、及び読取部が第１姿勢と異なる向きへ向く第２姿勢に姿勢変化させる。第１基準部材３１Ａは、第１姿勢の読取部と対向し、読取部の出力信号に基づく画像読み取りの基準を決めるために用いられる。第２基準部材３１Ｂは、第２姿勢の読取部と対向し、読取部の出力信号に基づく画像読み取りの基準を決めるために使用される。【選択図】図４
2020184681.tif 000002
【特許請求の範囲】
【請求項１】
搬送路に沿って連続紙を搬送向きに搬送する搬送部と、
上記搬送路に位置し、連続紙の記録面に画像を記録する画像記録部と、
上記搬送路において上記画像記録部よりも上記搬送向きの下流に位置する光学式の読取部と、
上記読取部を、上記読取部が上記搬送路へ向く第１姿勢、及び上記読取部が当該第１姿勢と異なる向きへ向く第２姿勢に姿勢変化させる姿勢変化機構と、
上記第１姿勢の上記読取部と対向し、上記読取部の出力信号に基づく画像読み取りの基準を決めるための第１基準部材と、
上記第２姿勢の上記読取部と対向し、上記読取部の出力信号に基づく画像読み取りの基準を決めるための第２基準部材と、を備える印刷装置。
【請求項２】
上記姿勢変化機構は、上記読取部を回動させて、上記読取部の姿勢を変化する請求項１に記載の印刷装置。
【請求項３】
上記第２基準部材を、上記第２姿勢の上記読取部と対向する第１位置と、上記第２姿勢の上記読取部と対向しない第２位置と、に移動させる移動機構を更に備える請求項１又は２に記載の印刷装置。
【請求項４】
上記搬送路において上記読取部よりも上記搬送向きの上流で、且つ、上記画像記録部よりも上記搬送向きの下流に位置しており、上記連続紙の記録面に対する処理を行う処理部を更に備え、
上記第２姿勢の上記読取部は、上記搬送向きの下流へ向く請求項１から３のいずれかに記載の印刷装置。
【請求項５】
上記搬送路において上記読取部よりも上記搬送向きの下流に位置しており、上記連続紙を巻き取る巻取機構を更に備える請求項１から４のいずれかに記載の印刷装置。
【請求項６】
コントローラを更に備え、
上記コントローラは、
上記巻取機構を使用しない第１モードが設定されていることを条件として、上記姿勢変化機構によって上記読取部を上記第１姿勢とし、上記読取部が上記第１基準部材を読み取った第１基準信号に基づいて読取基準値を決定し、
上記巻取機構を使用する第２モードが設定されていることを条件として、上記姿勢変化機構によって上記読取部を上記第２姿勢とし、上記読取部が上記第２基準部材を読み取った第２基準信号に基づいて、上記読取基準値を決定する請求項５に記載の印刷装置。
【請求項７】
上記コントローラは、
上記読取部が読み取った読取画像に基づいて、画像記録が不良であるかを判定し、
画像記録が不良であると判定したことに応じて、記録不良を報知する請求項６に記載の印刷装置。
【発明の詳細な説明】
【技術分野】
【０００１】
本発明は、連続紙に記録された画像を読取部で読み取る印刷装置に関する。
【背景技術】
【０００２】
印刷装置において、印刷時に、画像記録部は、搬送路内で搬送向きに搬送される記録媒体に画像を記録する。搬送路において画像記録部よりも搬送向きの下流に読取部が位置する。読取部は、画像読取時に搬送路内で搬送される原稿を光学的に読み取る。印刷装置には、プリスキャン時に読取部により読み取られる基準板が位置する。基準板は、基準色（例えば白）に予め着色されており、プリスキャン時に読取部と搬送路を挟んで対向する読取位置に位置する。それに対し、印刷時、基準板は、読取位置から離れた退避位置に読取部とともに移動させられる（例えば特許文献１を参照）。
【先行技術文献】
【特許文献】
【０００３】
【特許文献１】特開２００４−１９４０７７号公報
【発明の概要】
【発明が解決しようとする課題】
【０００４】
ところで、印刷装置は、巻取装置と協働して、連続紙に画像を記録する場合がある。巻取装置は、搬送路において読取部よりも搬送向きの下流に位置する。巻取装置は、画像記録部によって画像が記録された連続紙を巻き取る。したがって、連続紙は、搬送路において読取部及び基準板の間の部分に長時間位置することがある。この場合には、読取部は、プリスキャン時に基準板を読み取ることができない。
【０００５】
本発明は、前述された事情に鑑みてなされたものであり、その目的は、連続紙に画像を記録する印刷装置において基準部材を読み取ることができる手段を提供することにある。
【課題を解決するための手段】
【０００６】
本発明に係る印刷装置は、搬送路に沿って連続紙を搬送向きに搬送する搬送部と、上記搬送路に位置し、連続紙の記録面に画像を記録する画像記録部と、上記搬送路において上記画像記録部よりも上記搬送向きの下流に位置する光学式の読取部と、上記読取部を、上記読取部が上記搬送路へ向く第１姿勢、及び上記読取部が当該第１姿勢と異なる向きへ向く第２姿勢に姿勢変化させる姿勢変化機構と、上記第１姿勢の上記読取部と対向し、上記読取部の出力信号に基づく画像読み取りの基準を決めるための第１基準部材と、上記第２姿勢の上記読取部と対向し、上記読取部の出力信号に基づく画像読み取りの基準を決めるための第２基準部材と、を備えている。
【０００７】
上記構成によれば、連続紙が搬送路内で読取部及び第１基準部材の間にある場合に、読取部を第１姿勢から第２姿勢に変化させることで第２基準部材を読み取ることができる。
【発明の効果】
【０００８】
本発明によれば、印刷装置が連続紙に画像を記録する場合にも基準部材を読み取ることができる。
【図面の簡単な説明】
【０００９】
【図１】図１は、印刷装置１０を模式的に示す斜視図である。
【図２】図２は、図１の二点鎖線ＩＩ−ＩＩに沿う縦断面を右方から見たときの印刷装置１０の構成を示す模式図であり、（Ａ）は、巻取装置２９の使用時における印刷装置１０を、（Ｂ）は、巻取装置２９の不使用時における印刷装置１０を示す。
【図３】図３は、図１の二点鎖線ＩＩＩ−ＩＩＩに沿う横断面を上方から見たときの印刷装置１０の構成を示す模式図である。
【図４】図４は、図３の二点鎖線ＩＶ−ＩＶに沿う縦断面を右方から見たときのイメージセンサ２７等の構成を示す模式図であり、（Ａ）は、イメージセンサ２７の筐体７１が位置Ｐ３にあるときを、（Ｂ）は、筐体７１が位置Ｐ４にあるときを示す。
【図５】図５は、イメージセンサ２７及び第２基準部材３１Ｂを上方から見たときの模式図であり、（Ａ）は、筐体７１が位置Ｐ３にあり且つ第２基準部材３１Ｂが位置Ｐ６にあるときを、（Ｂ）は、筐体７１が位置Ｐ４にあり且つ第２基準部材３１Ｂが位置Ｐ５にあるときを示す。
【図６】図６は、図１の印刷装置１０の要部を示す機能ブロック図である。
【図７】図７は、図６のコントローラ９１による印刷処理の手順を示すフローチャートである。
【発明を実施するための形態】
【００１０】
以下、本発明の実施形態に係る印刷装置１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、印刷装置１０が使用可能に設置された状態（図１の状態）を基準として上下方向７が定義され、排出口１３が設けられている側を手前側（即ち、前方）として前後方向８が定義され、印刷装置１０を前方から見て左右方向９が定義される。
【００１１】
［印刷装置１０の概要］
印刷装置１０は、卓上、床上、又はラック等に載置可能なサイズである。印刷装置１０は、インクジェット記録方式で連続紙１１（図２参照）に画像を記録する。図２に示されるように、連続紙１１は、ロール紙である。ロール紙は、ロール状に巻かれた長尺の用紙であり、ラベルロール紙を含む。ロール紙を印刷装置１０に装着するために、ロール紙の巻回中心には貫通孔が形成されている。ラベルロール紙には、画像が印刷されるラベル紙が長尺の台紙に間隔をあけて貼付されている。連続紙１１は、ロール紙以外にも、ファンフォールド紙であってもよい。
【００１２】
［印刷装置１０の外観構成、筐体１４］
図１に示されるように、印刷装置１０は、概ね直方体形状の筐体１４を備えている。筐体１４は、底部１４１、４つの側壁１４２、及び上壁１４３を有する。底部１４１、各側壁１４２、及び上壁１４３は、筐体１４の内部空間１４４（図２、図３参照）を外部空間から区画する。具体的には、底部１４１及び上壁１４３は、上下方向７に互いに離間している。４つの側壁１４２は、前壁１４２Ａ、後壁１４２Ｂ、左壁１４２Ｃ、右壁１４２Ｄを含んでいる。
【００１３】
［前壁１４２Ａ、操作パネル１７］
図１に示されるように、前壁１４２Ａは、上下方向７及び左右方向９に拡がっている。前壁１４２Ａの右上部分には排出口１３が位置する。前壁１４２Ａにおいて排出口１３の左方には操作パネル１７が位置する。操作パネル１７は、ディスプレイ及び入力キー等を有する。ディスプレイは、各種操作画面を表示する。ユーザは、印刷装置１０による印刷処理に必要な操作を、入力キーを用いて行う。前壁１４２Ａにおいて操作パネル１７の下方には、開口１６Ａ（図２、図３を参照）が形成されている。開口１６Ａは、カバー１６で閉塞及び開放可能である。内部空間１４４において閉塞時のカバー１６の後方には、タンク７０（図２、図３参照）が位置する。カバー１６の開放時、タンク７０は外部に露出する。なお、図２及び図３では、操作パネル１７の図示は省略されている。
【００１４】
［隔壁１４５］
図２、図３に示されるように、内部空間１４４には、上下方向７及び前後方向８に拡がる隔壁１４５が位置する。隔壁１４５の上端及び下端は上壁１４３及び底部１４１とそれぞれ繋がり（図２参照）、隔壁１４５の前端及び後端は、前壁１４２Ａ及び後壁１４２Ｂとそれぞれ繋がっている（図３参照）。隔壁１４５により、内部空間１４４は、左空間１４４Ｌ及び右空間１４４Ｒに区画される（図３参照）。隔壁１４５には開口１４５Ａが形成されている（図２、図３参照）。開口１４５Ａは、右方からの側面視で画像記録部２４を内包するように位置する。左空間１４４Ｌ及び右空間１４４Ｒは、開口１４５Ａを通じて繋がっている。
【００１５】
［印刷装置１０の内部構成］
図２に示されるように、印刷装置１０は、右空間１４４Ｒに、連続紙１１、２個の給送ローラ２０、２１、２組の搬送ローラ対５４、５５、プラテン２５、ヒータ２６、イメージセンサ２７、第１基準部材３１Ａ、第２基準部材３１Ｂ、姿勢変化機構３２（図３参照）、移動機構３３（図３参照）、及びカッターユニット２８を備えている。また、図３に示されるように、印刷装置１０は、左空間１４４Ｌに、タンク７０、キャップ９２、及びコントローラ９１を備えている。印刷装置１０は更に、左空間１４４Ｌ及び右空間１４４Ｒのいずれにも位置することが可能な画像記録部２４を備えている。
【００１６】
［収容空間１４４Ａ、連続紙１１］
図２、図３に示されるように、右空間１４４Ｒには隔壁１４６が位置する。隔壁１４６は、右空間１４４Ｒにおいて後方且つ下方寄りの部分を仕切って、連続紙１１を収容するための収容空間１４４Ａ（図２参照）を区画する。
【００１７】
具体的には、隔壁１４６の左端は、隔壁１４５と繋がっている。隔壁１４６の右端は、右壁１４２Ｄに近接している。右壁１４２Ｄの一部は、連続紙１１を収容するために、開閉自在なカバー（図示せず）になっている。隔壁１４６の前部１４６Ａは、筐体１４の底部１４１において前後方向８の中央寄りの部分から上方に延出し、上下方向７及び左右方向９に拡がっている。隔壁１４６の上部１４６Ｂは、底部１４１から離間しており、右空間１４４Ｒにおいて前部１４６Ａよりも後方で左右方向９及び前後方向８に拡がっている。上部１４６Ｂの後端は後壁１４２Ｂから前方に離れている。即ち、隔壁１４６の後端と、後壁１４２Ｂとの間は、連続紙１１が通過可能な空隙１４６Ｄになっている。傾斜部１４６Ｃは、前部１４６Ａの上端、及び上部１４６Ｂの前端を繋いでいる。
【００１８】
収容空間１４４Ａには、連続紙１１の装着用にシャフト１１Ａが位置する。シャフトは、隔壁１４５から右方に延びる。
【００１９】
［給送ローラ２０、２１］
給送ローラ２０は、２個一対の第１軸受け（図示せず）により筐体１４に支持される。具体的には、給送ローラ２０は、収容空間１４４Ａ内で隔壁１４５及び右壁１４２Ｄの間で左右方向９に延びている。給送ローラ２０は、底部１４１及び後壁１４２Ｂのそれぞれから離間する。給送ローラ２０は、右方からの側面視で反時計回りの向きに回転可能である。
【００２０】
給送ローラ２１は、２個一対の第２軸受け（図示せず）により筐体１４に支持される。給送ローラ２１は、下記二点で給送ローラ２０と相違し、その余の点で給送ローラ２０と類似の構成を有する。一点目は、右空間１４４Ｒにおいて隔壁１４６よりも上方で且つ給送ローラ２０の真上に位置する点である。二点目は、給送ローラ２１の上端の上下方向７における位置が排出口１３の上下方向７の中心位置と同じ点である。
【００２１】
［搬送路２２］
図２、図３に示されるように、搬送路２２は、右空間１４４Ｒにおいて給送ローラ２１の上端と排出口１３との間で、前後方向８に直線的に延びている。連続紙１１は、搬送向き６に搬送路２２に沿って搬送される。搬送向き６は、給送ローラ２１から排出口１３に向かう向きであり、前向きである。
【００２２】
［搬送ローラ対５４、５５］
図２、図３に示されるように、搬送ローラ対５４、５５は、搬送部の一例であり、搬送路２２に沿って連続紙１１を搬送向き６に搬送する。
【００２３】
図２、図３に示されるように、搬送ローラ対５４は、前後方向８において給送ローラ２１と画像記録部２４との間に位置する。搬送ローラ対５４は、搬送ローラ６０とピンチローラ６１とを有する。搬送ローラ６０は、上下方向７において搬送路２２と同じ位置でピンチローラ６１と当接する。搬送ローラ６０は回転し、ピンチローラ６１は、搬送ローラ６０の回転に伴って連れ回る。搬送ローラ６０及びピンチローラ６１は、搬送路２２の上流から送り込まれる連続紙１１を挟持し搬送向き６に送り出す。
【００２４】
図２、図３に示されるように、搬送ローラ対５５は、具体的には、搬送ローラ６２とピンチローラ６３とを有する。搬送ローラ６２及びピンチローラ６３は、前後方向８においてヒータ２６とイメージセンサ２７との間に位置する点を除き、搬送ローラ６０及びピンチローラ６１と類似の構成をそれぞれ有している。
【００２５】
筐体１４内には、モータ１０１、及び駆動力伝達部１０２（図６参照）が位置する。駆動力伝達部１０２は、ギヤ及びクラッチを含み、モータ１０１で発生した駆動力を搬送ローラ６０、６２に伝達し、これにより、搬送ローラ６０、６２は回転する。
【００２６】
なお、搬送路２２において搬送ローラ対５４、５５の間には、他の搬送ローラ対は位置しないことが好ましい。これにより、搬送路２２の前後方向８における長さが短縮化される。
【００２７】
［画像記録部２４、プラテン２５、タンク７０］
図２、図３に示されるように、画像記録部２４及びプラテン２５は、前後方向８において搬送ローラ対５４とヒータ２６との間に位置する。画像記録部２４は、搬送路２２を挟んでプラテン２５の上方に位置する。画像記録部２４は、連続紙１１の記録面に画像を記録する。
【００２８】
画像記録部２４は、概ね直方体形状であり、矩形状の下面２４Ａを有している。下面２４Ａには、複数のノズル孔２４Ｂが左右方向９に沿って間隔をあけて形成されている。
【００２９】
画像記録部２４は、右方からの側面視で開口１４５Ａの周縁内に位置する（図２参照）。画像記録部２４は、筐体１４に取り付けられる２本一対のガイドフレーム（図示せず）によって支持されている。２本のガイドフレームは、前後方向８において間隔を空けて、開口１４５Ａを通じて右空間１４４Ｒから左空間１４４Ｌにわたり左右方向９に延びている。画像記録部２４は、ベルト搬送機構（図示せず）を介してモータ１０３（図６参照）と機械的に連結され、左右方向９に沿って記録位置Ｐ１及びクリーニング位置Ｐ２（図３参照）の間で移動可能である。記録位置Ｐ１及びクリーニング位置Ｐ２は、画像記録部２４の左端等の位置である。画像記録部２４が記録位置Ｐ１にあるとき、左右両端のノズル孔２４Ｂが搬送路２２の左右両端と対向する。画像記録部２４がクリーニング位置Ｐ２にあるとき、複数のノズル孔２４Ｂはキャップ９２の上方でキャップ９２と対向する。このとき、複数のノズル孔２４Ｂは、駆動力伝達部１０２により伝達される駆動力により上下方向７に移動可能なキャップ９２により覆われる。画像記録部２４は、初期状態ではクリーニング位置Ｐ２にある。初期状態とは、図７の印刷処理の開始時である。また、以下、初期状態における位置を初期位置と称する場合がある。
【００３０】
タンク７０は、インクを貯留している。インクは、所謂ラテックスインクであり、顔料、樹脂微粒子、及び添加剤を含有している。インクは、顔料及び樹脂微粒子を均一に分散させるに適した粘度を有している。顔料は、インクの色となるものである。樹脂微粒子は、連続紙１１に顔料を付着するためのものであり、例えば、ヒータ２６の加熱によってガラス転移温度を超える合成樹脂である。
【００３１】
画像記録部２４には、タンク７０からチューブ（図示せず）を通じてインクが供給される。記録位置Ｐ１の画像記録部２４は、プラテン２５により支持される連続紙１１に向けて、複数のノズル孔２４Ｂからインクを吐出する。これにより、連続紙１１の記録面には画像が記録される。一方、クリーニング位置Ｐ２の画像記録部２４は、コントローラ９１によるフラッシング処理により、キャップ９２に向けてインクを吐出する。キャップ９２に吐出されたインクは、廃インクチューブ（図示せず）を通じて、廃インクタンク（図示せず）へ排出される。なお、クリーニング位置Ｐ２の画像記録部２４には、フラッシング処理以外にもパージ処理及びワイピング処理が実行される。
【００３２】
［ヒータ２６］
図２、図３に示されるように、ヒータ２６は、処理部の一例である。ヒータ２６は、前後方向８において、イメージセンサ２７よりも搬送向き６の上流で、且つ、画像記録部２４よりも搬送向き６の下流に位置する。ヒータ２６は、より具体的には、搬送向き６において、画像記録部２４及び搬送ローラ対５５の間に位置する。ヒータ２６は、上下方向７（図２参照）及び左右方向９（図３参照）において、搬送路２２の直上に位置する。
【００３３】
ヒータ２６は、連続紙１１の記録面に対する処理（具体的には加熱処理）を行う。ヒータ２６は、具体的には、ハロゲンヒータ又はカーボンヒータ等であり、筐体４２内に、発熱体４０、及び反射部材４１を有している。
【００３４】
筐体４２は、右壁１４２Ｄ及び隔壁１４５の間に位置し、筐体１４により支持される。筐体４２は、左右方向９に長い概ね直方体形状で、且つ、箱状の形状を有している。筐体４２の下壁には、左右方向９に細長い矩形状の開口４３が形成されている。
【００３５】
発熱体４０は、ハロゲンヒータの場合、円柱形状を有するハロゲンランプであり、カーボンヒータの場合、不活性ガス中に炭素繊維を封入した石英管である。発熱体４０は、筐体４２の内部に位置する。具体的には、発熱体４０は、右方からの側面視で筐体４２の中心又はその付近に位置し（図２参照）、左右方向９に延びている。反射部材４１は、プレス加工による金属板等の成形品であり、右方からの側面視で円弧状の形状を有する。
【００３６】
反射部材４１は、発熱体４０の上方に位置して発熱体４０を覆う。反射部材４１において発熱体４０と対向する表面は、セラミック膜等で被覆されている。
【００３７】
発熱体４０は点灯し発熱する。発熱体４０から放射された熱は、直接的に、又は、反射部材４１で反射して開口４３から下方に放射される。これにより、搬送路２２において開口４３の下方を通過する連続紙１１上のインクが加熱される。これにより、インクに含有される樹脂微粒子がガラス転移する。その後に連続紙１１の温度が低下して、ガラス状の樹脂が硬化する。これにより、連続紙１１にインクが定着される。
【００３８】
［イメージセンサ２７、姿勢変化機構３２］
イメージセンサ２７は、上下方向７（図２参照）及び左右方向９（図３参照）において、搬送路２２の直上に位置する。イメージセンサ２７は、搬送路２２において画像記録部２４よりも搬送向き６の下流に位置する。具体的には、イメージセンサ２７は、搬送路２２において搬送ローラ対５５及びカッターユニット２８の間に位置する。即ち、イメージセンサ２７と、ヒータ２６との間には、搬送ローラ対５５が位置する。これにより、イメージセンサ２７は、ヒータ２６から熱的及び光学的に隔離される。
【００３９】
イメージセンサ２７は、連続紙１１の記録面に記録された画像を光学的に読み取り、読み取り画像を示す画像信号を出力する。イメージセンサ２７は、ラインイメージセンサ等であり、具体的には、左右方向９に長いＣＩＳ（Ｃｏｎｔａｃｔ  Ｉｍａｇｅ  Ｓｅｎｓｏｒ）等である。
【００４０】
図４に示されるように、イメージセンサ２７は、筐体７１内に、光源ユニット７２、屈折率分布型レンズアレイ（以下、単にレンズアレイと称する）７３、及び光学式の読取部７４を有している。
【００４１】
筐体７１は、右壁１４２Ｄ及び隔壁１４５の間で、左右方向９に延びる直方体形状である。筐体７１は、左壁７１Ａ及び右壁７１Ｂ（図５参照）の各辺同士を繋ぐ４つの壁７１Ｃ〜７１Ｆ（図４参照）を有している。壁７１Ｃには、左右方向９に細長い矩形状のスリット７１Ｇ（図４参照）が形成されている。左壁７１Ａ及び右壁７１Ｂからは、シャフト７２Ｌ、７２Ｒが左右方向９に延びる（図５参照）。シャフト７２Ｌ、７２Ｒは、左右方向９に互いに平行で共通の軸心７２Ａを有している。シャフト７２Ｌ、７２Ｒの先端にはギヤ７３Ｌ、７３Ｒが固定されている。筐体７１は、姿勢変化機構３２（図６参照）により軸心７２Ａ周りに回転可能に支持される。
【００４２】
姿勢変化機構３２（図６参照）は、ギヤ７３Ｌ、７３Ｒ（図５参照）に噛み合うギヤ、及びクラッチ等を含み、筐体１４内に位置するモータ１０１（図６参照）で発生した駆動力をギヤ７３Ｌ、７３Ｒに伝達する。具体的には、姿勢変化機構３２は、筐体７１を、位置Ｐ３（図４（Ａ）参照）及び位置Ｐ４（図４（Ｂ）参照）の間で移動させる。位置Ｐ３は、スリット７１Ｇが搬送路２２の直上の位置で搬送路２２の方（すなわち下方）を向く筐体７１の位置である。位置Ｐ４は、右方からの平面視で時計回りに位置Ｐ３から第１所定角度（例えば９０°）だけスリット７１Ｇを軸心７２Ａ周りに回転した位置である。筐体７１の初期位置は位置Ｐ３である。
【００４３】
図４（Ａ）に示されるように、光源ユニット７２は、位置Ｐ３の筐体７１内でスリット７１Ｇよりも後方に位置する。光源ユニット７２は、スリット７１Ｇに向けて線状光を出射する。光源ユニット７２は、導光体と、導光体における左右方向９の端部に取り付けられた１個の発光素子との組み合わせよりなる。
【００４４】
図４（Ａ）に示されるように、レンズアレイ７３は、位置Ｐ３の筐体７１内でスリット７１Ｇの直上に位置する。レンズアレイ７３の入射面には、スリット７１Ｇを介して線状光が入光する。レンズアレイ７３への入射光は、レンズアレイ７３の内部を伝搬し、レンズアレイ７３の出射面から出射される。レンズアレイ７３からの出射光は読取部７４で結像する。
【００４５】
図４（Ａ）に示されるように、読取部７４は、筐体７１においてレンズアレイ７３の出射面と対向する。読取部７４は、左右方向９に配列された複数の受光素子を有している。各受光素子は、自身への入射光を光電変換して電気信号に生成する。読取部７４は、各受光素子により生成された電気信号をコントローラ９１（図６参照）に順次出力する。
【００４６】
光源ユニット７２、レンズアレイ７３、及び読取部７４のそれぞれは、姿勢変化機構３２による筐体７１の回動に応じて姿勢変化する。特に、読取部７４は、位置Ｐ３に対応する第１姿勢（図４（Ａ）参照）、及び位置Ｐ４に対応する第２姿勢（図４（Ｂ）参照）に姿勢変化させられる。具体的には、筐体７１が位置Ｐ３にあるとき、読取部７４は、第１姿勢をとり搬送路２２へ向く。筐体７１が位置Ｐ４にあるとき、読取部７４は、第２姿勢をとり、第１姿勢と異なる向き（具体的には、搬送向き６の下流）へ向く。
【００４７】
［第１基準部材３１Ａ］
図４（Ａ）に示されるように、第１基準部材３１Ａは、第１姿勢の読取部７４と対向し、読取部７４の出力信号に基づく画像読み取りの基準をコントローラ９１が決めるために用いられる。第１基準部材３１Ａは、左右方向９に長い形状を有する。第１基準部材３１Ａは、搬送路２２において画像記録部２４よりも搬送向き６の下流で（図２参照）、位置Ｐ３のスリット７１Ｇの下方において搬送路２２を挟んで対向する（図４（Ａ）参照）。第１基準部材３１Ａの上面は、所定の色（例えば白）に着色されている。
【００４８】
［第２基準部材３１Ｂ、移動機構３３］
図４（Ｂ）に示されるように、第２基準部材３１Ｂは、第２姿勢の読取部７４と対向し、読取部７４の出力信号に基づく画像読み取りの基準をコントローラ９１が決めるために用いられる。第２基準部材３１Ｂは、筐体７１が位置Ｐ３にあるとき、イメージセンサ２７よりも上方に位置し（図４（Ａ）参照）、左右方向９に長い板状の形状である（図５（Ａ）参照）。第２基準部材３１Ｂの左端及び右端からは、シャフト８１Ｌ、８１Ｒが左方及び右方にそれぞれ延びる（図５（Ａ）参照）。シャフト８１Ｌ、８１Ｒは、左右方向９に沿う軸心８１Ａを共有している。シャフト８１Ｌ、８１Ｒの先端にはギヤ８２Ｌ、８２Ｒが固定されている。第２基準部材３１Ｂは、軸心８１Ａ周りに回転可能に、ギヤ８２Ｌ、８２Ｒを介して移動機構３３（図６参照）により支持される。第２基準部材３１Ｂの上面は、第１基準部材３１Ａと同じ色に着色されている。
【００４９】
図６において、移動機構３３は、ギヤ８２Ｌ、８２Ｒに噛み合うギヤ、及びクラッチ等を含み、モータ１０１で発生した駆動力をギヤ８２Ｌ、８２Ｒに伝達する。具体的には、移動機構３３は、第２基準部材３１Ｂを、位置Ｐ５（図４（Ａ）参照）及び位置Ｐ６（図４（Ｂ）参照）の間で移動させる。位置Ｐ５は、第１位置の一例であり、第２基準部材３１Ｂが搬送向き６において第２姿勢の読取部７４と対向する位置である（図４（Ｂ）参照）。位置Ｐ６は、第２位置の一例であり、右方からの平面視で反時計回りに第２所定角度（例えば９０°）だけ第２基準部材３１Ｂを位置Ｐ５から軸心８１Ａ周りに回転した位置である（図４（Ａ）参照）。位置Ｐ６は、位置Ｐ３、Ｐ４の間で回動する筐体７１が第２基準部材３１Ｂと干渉しないように予め定められる。第２基準部材３１Ｂの初期位置は位置Ｐ６である。
【００５０】
［カッターユニット２８］
図２に示されるように、カッターユニット２８は、前後方向８において第２基準部材３１Ｂと排出口１３との間であり且つ搬送路２２の直上に位置する。カッターユニット２８は、下方に延出する刃２８Ａを有している。刃２８Ａは、駆動力伝達部１０２（図６参照）により伝達される駆動力により、搬送路２２において排出口１３の直後に位置する部分で連続紙１１を切断する。なお、カッターユニット２８は、ユーザのマニュアル操作で連続紙１１を切断してもよい。
【００５１】
［巻取装置２９］
図１に示されるように、印刷装置１０の前壁１４２Ａには巻取装置２９が着脱可能である。巻取装置２９は、巻取機構の一例であり、ケーブル２９Ａ、及びシャフト２９Ｃを備えている。
【００５２】
図２に示されるように、ケーブル２９Ａは、先端部にプラグ２９Ｂを有している。また、印刷装置１０の筐体１４（具体的には、前壁１４２Ａ）には、レセプタクル１４７が位置する。ケーブル２９Ａは、レセプタクル１４７に差し込まれた状態で、印刷装置１０から供給される電力等を伝送する。
【００５３】
シャフト２９Ｃには、連続紙１１が巻回される芯材が装着される。巻取装置２９は、印刷装置１０による電力供給を受けて、芯材とともにシャフト２９Ｃを巻回向きに回転させる。これにより、排出口１３から排出される連続紙１１が芯材に巻回される。
【００５４】
［コントローラ９１］
図６に示されるように、コントローラ９１は、回路基板上に実装されたＣＰＵ９１Ａ、ＲＯＭ９１Ｂ、ＲＡＭ９１Ｃ、ＥＥＰＲＯＭ９１Ｄ、及びＡＳＩＣ９１Ｅを備えている。ＲＯＭ９１Ｂに予め記憶されているプログラムをＣＰＵ９１Ａが実行し、ＡＳＩＣ９１Ｄが特定機能を果たすことで、印刷装置１０の動作が制御される。ＥＥＰＲＯＭ９１Ｄには、モード情報が記憶される。モード情報は、印刷装置１０の動作モードが第１モードであるか、第２モードであるかを示す情報である。第１モードは、巻取装置２９を使用しない動作モードである。第２モードは、巻取装置２９を使用する動作モードである。印刷装置１０の初期状態では、モード情報は、第１モードに設定されている。
【００５５】
［印刷装置１０の動作］
作業者は、巻取装置２９を使用する場合、巻取装置２９を印刷装置１０の前壁１４２Ａに取り付け、ケーブル２９Ａのプラグ２９Ｂを、印刷装置１０側のレセプタクル１４７に差し込む。
【００５６】
作業者は更に、印刷装置１０の収容空間１４４Ａに連続紙１１を収容する。具体的には、作業者は、連続紙１１がロール紙の場合、ロール紙の貫通孔に収容空間１４４Ａ内のシャフトを挿入する。ロール紙の巻回向きは、右方からの側面視で反時計回りである（図２参照）。作業者は更に、ロール紙が収容空間１４４Ａ内で左右方向９に位置ずれしないように、押さえ部材（図示せず）でロール紙を固定する。また、連続紙１１がファンフォールド紙を収容する場合、作業者は、ファンフォールド紙を収容空間１４４Ａの底部１４１に載置する。
【００５７】
作業者は更に、連続紙１１（即ち、ロール紙及びファンフォールド紙の一方）の先端を引き出して、後壁１４２Ｂと給送ローラ２０との間、空隙１４６Ｄ、及び後壁１４２Ｂと給送ローラ２１との間を通す。その後、作業者は、連続紙１１を給送ローラ２０、２１に掛け、連続紙１１の先端を搬送ローラ対５４にニップさせる。その後、作業者は、連続紙１１を搬送路２２内を通過させた後、筐体１４の排出口１３から引き出す。作業者は、排出口１３から引き出した連続紙１１を巻取装置２９の芯材に固定する。
【００５８】
一方、作業者は、巻取装置２９を使用しない場合、巻取装置２９を印刷装置１０に取り付けることなく、収容空間１４４Ａ内に連続紙１１を収容する。作業者は更に、連続紙１１の先端を、搬送ローラ対５４にニップさせる。
【００５９】
印刷装置１０には、情報処理装置（図示せず）がデータ通信可能に接続されている。情報処理装置は、パーソナルコンピュータ等であり、作業者の操作に従って、画像データを画像記録の実行命令とともに印刷装置１０に送信する。画像データは、バーコードを表す。バーコードには、太さが異なり黒色である複数のバーが間隔をあけて並んでいる。バーコードにおいて複数のバーの間の部分は白色である。隣り合う２本のバーの間隔は、予め定められている。コントローラ９１は、通信インターフェイス（図示せず）を通じて画像データを取得する。
【００６０】
図７に示されるように、Ｓ１１において、コントローラ９１は、巻取装置２９が印刷装置１０に接続されているか否かを判定する。具体的には、コントローラ９１は、ケーブル２９Ａのプラグ２９Ｂがレセプタクル１４７に差し込まれていることを検出した場合には、巻取装置２９が接続されていると判定する。コントローラ９１は、巻取装置２９が接続されていると判定したことに応じて、ＥＥＰＲＯＭ９１Ｄに記憶されるモード情報を第２モードに更新する（Ｓ１２）。コントローラ９１は、Ｓ１２の終了後、又はＳ１１で巻取装置２９が接続されていないと判定したことに応じて、処理をＳ１３に進める。
【００６１】
Ｓ１３において、コントローラ９１は、実行命令を受信しているか否かを判定する。コントローラ９１は、実行命令を受信していないと判定したことに応じて、処理をＳ１３に戻す。コントローラ９１は、実行命令を受信していると判定したことに応じて、処理をＳ１４に進める。
【００６２】
Ｓ１４において、コントローラ９１は、ＥＥＰＲＯＭ９１Ｄ内のモード情報が第１モードに設定されているのか、第２モードに設定されているのかを判定する。コントローラ９１は、Ｓ１４で第１モードが設定されていることを条件として、Ｓ１５に処理をそれぞれ進める。一方、コントローラ９１は、Ｓ１４で第２モードが設定されていることを条件として、Ｓ１１４に処理をそれぞれ進める。
【００６３】
Ｓ１５で、コントローラ９１は、姿勢変化機構３２によって読取部７４を第１姿勢とする。具体的には、コントローラ９１は、筐体７１を初期位置の位置Ｐ３で維持する。これにより、読取部７４は第１姿勢をとる。
【００６４】
Ｓ１６で、コントローラ９１は、イメージセンサ２７の読取部７４の第１基準信号を取得する。具体的には、コントローラ９１は、イメージセンサ２７の光源ユニット７２を点灯させる。光源ユニット７２により出射される線状光は、スリット７１Ｇを介して第１基準部材３１Ａに照射される。第１基準部材３１Ａで反射された線状光は、屈折率分布型レンズ７３を通過して、読取部７４で結像する。読取部７４は、各受光素子により生成された電気信号を第１基準信号としてコントローラ９１に順次出力する。
【００６５】
Ｓ１７で、コントローラ９１は、第１基準信号に含まれる各電圧レベルに対し統計処理して読取基準値を決定する。統計処理は、平均値又は中央値等を導出する処理である。読取基準値は、画像読み取りの基準であり、第１基準部材３１Ａの色を示す値である。
【００６６】
Ｓ１８で、コントローラ９１は、ヒータ２６の発熱体４０に電力供給を行い、発熱体４０を発熱させる。コントローラ９１は更に、モータ１０３に駆動信号を与えることでベルト搬送機構（図示せず）を駆動し、これによって、画像記録部２４をクリーニング位置Ｐ２から記録位置Ｐ１に変位させる。コントローラ９１は更に、モータ１０１に駆動信号を与え、これによって、連続紙１１が搬送向き６に搬送される向きに搬送ローラ６０、６２を回転させる。
【００６７】
Ｓ１９で、コントローラ９１は、搬送向き６に搬送される連続紙１１の記録面に、画像データに基づく画像を記録する。記録面における画像の記録位置は、ロータリーエンコーダ（図示せず）により検出されるモータ１０１や搬送ローラ６０、６２の回転量からコントローラ９１により認識される。
【００６８】
Ｓ１９で記録された画像は、ヒータ２６の下方を通過する際に記録面に定着される。その後、Ｓ１９で記録された画像は、イメージセンサ２７のスリット７１Ｇの下方を通過する。イメージセンサ２７において、光源ユニット７２は、Ｓ１６以降点灯している。そのため、読取部７４は、スリット７１Ｇの下方を通過する連続紙１１の記録面を光学的に読み取り、読み取り結果を示す電気信号を画像信号としてコントローラ９１に出力する。
【００６９】
Ｓ１１０で、コントローラ９１は、入力画像信号が表す画像に基づいて、記録不良が発生しているか否かを判定する。具体的には、コントローラ９１は、パターン認識等の手法により、入力画像信号から、Ｓ１９で記録されたバーコードの画像を抽出する。コントローラ９１は、Ｓ１７で決定された読取基準値に基づいて、バーコード画像におけるバー間の白色部分を抽出する。コントローラ９１は、抽出した白色部分が隣り合うバー間の間隔に相当する画素数（以下、所定画素数と称する）を有していない場合に、記録不良、即ち、Ｓ１９で記録されたバーコードに不良が発生していると判定する。コントローラ９１は、白色部分が所定画素数を有している場合に、記録不良が発生していないと判定する。
【００７０】
コントローラ９１は、Ｓ１１０で記録不良が発生していない判定したことに応じて、処理をＳ１１２に進める。コントローラ９１は、Ｓ１１０で記録不良が発生していると判定したことに応じて、処理をＳ１１１に進める。
【００７１】
Ｓ１１１で、コントローラ９１は、報知処理を行う。報知処理は、記録不良の発生を作業者に報知する処理である。具体的には、コントローラ９１は、連続紙１１の搬送向き６への搬送を一旦停止する。その後、コントローラ９１は、モータ１０１に駆動信号を与えて、搬送向き６の逆向きに画像記録部２４の下方まで連続紙１１を搬送するよう搬送ローラ６０、６２を逆転させる。コントローラ９１は、不良バーコード上に、記録不良が発生したことを示すマーク画像を記録する。コントローラ９１は更に、モータ１０１に駆動信号を与えて、搬送向き６に連続紙１１を搬送するよう搬送ローラ６０、６２を正転させる。コントローラ９１は、連続紙１１の位置を停止前の位置まで戻して、処理をＳ１１２に進める。
【００７２】
Ｓ１１２で、コントローラ９１は、印刷処理を終了するか否かを判定する。コントローラ９１は、印刷処理を終了しないと判定したことに応じて、処理をＳ１９に戻す。コントローラ９１は、印刷処理を終了すると判定したことに応じて、処理をＳ１１３に進める。
【００７３】
Ｓ１１３で、コントローラ９１は、カッターユニット２８の刃２８Ａを駆動力伝達部１０２（図６参照）により伝達される駆動力で駆動して、連続紙１１を切断する。コントローラ９１は更に、モータ１０１に駆動信号を与えることを停止し、モード情報を初期状態に戻し、画像記録部２４、筐体７１及び第２基準部材３１Ｂのそれぞれを初期位置に戻す。コントローラ９１は、Ｓ１１３の終了後、印刷処理を終了する。
【００７４】
Ｓ１１４で、コントローラ９１は、姿勢変化機構３２によって読取部７４を第２姿勢とする。具体的には、コントローラ９１は、モータ１０１に駆動信号を与え、駆動力伝達部１０２は、姿勢変化機構３２に駆動力を与える。姿勢変化機構３２は、駆動力により、筐体７１を位置Ｐ３から位置Ｐ４に変位させる。これに応じて、読取部７４は第１姿勢をとる。コントローラ９１は更に、モータ１０１に駆動信号を与え、駆動力伝達部１０２は、移動機構３３に駆動力を与える。移動機構３３は、駆動力により、第２基準部材３１Ｂを位置Ｐ６から位置Ｐ５に変位させる。これにより、第２基準部材３１Ｂは、第２姿勢の読取部７４と搬送向き６に対向する。
【００７５】
Ｓ１１５で、コントローラ９１は、イメージセンサ２７の読取部７４の第２基準信号を取得する。Ｓ１１５の処理は、線状光が第２基準部材３１Ｂに照射される点、及び読取部７４の出力信号が第２基準信号として出力される点を除いて、Ｓ１６の処理と同様である。
【００７６】
Ｓ１１６で、コントローラ９１は、第２基準信号に含まれる各電圧レベルに対し、Ｓ１７と同様にして読取基準値を決定する。読取基準値は、画像読み取りの基準であり、第２基準部材３１Ｂの色を示す値である。
【００７７】
Ｓ１１７で、コントローラ９１は、巻取装置２９への電力供給を更に行う点を除いて、Ｓ１８の処理と同様である。巻取装置２９は、コントローラ９１による電力供給を受けて、芯材とともにシャフト２９Ｃを回転させる。
【００７８】
Ｓ１１７の終了後、コントローラ９１は、Ｓ１９〜Ｓ１１２と同様のＳ１１８〜Ｓ１２１を実行する。
【００７９】
Ｓ１２１で印刷終了と判定されたことに応じて、コントローラ９１は、Ｓ１２２を実行する。Ｓ１２２で、コントローラ９１は、巻取装置２９を停止させる。コントローラ９１は、カッターユニット２８の刃２８Ａを駆動力伝達部１０２（図６参照）により伝達される駆動力で駆動して、連続紙１１を切断する。コントローラ９１は更に、モータ１０１に駆動信号を与えることを停止し、モード情報を初期状態に戻し、画像記録部２４、筐体７１及び第２基準部材３１Ｂのそれぞれを初期位置に戻す。コントローラ９１は、Ｓ１２１の終了後、印刷処理を終了する。
【００８０】
「印刷装置１０の作用・効果」
印刷装置１０によれば、連続紙１１が搬送路２２内で読取部７４及び第１基準部材３１Ａの間にある場合に、読取部７４を第１姿勢から第２姿勢に変化させることで第２基準部材３１Ｂを読み取ることができる。
【００８１】
印刷装置１０では、姿勢変化機構３２が読取部７４を回動させることで読取部７４の姿勢を変化させる。これにより、読取部７４の姿勢を簡単に変化させることができる。
【００８２】
印刷装置１０では、移動機構３３が第２基準部材３１Ｂを位置Ｐ５、Ｐ６に移動させる。これにより、読取部７４の姿勢変化中に、読取部７４が第２基準部材３１Ｂと干渉するおそれが抑制される。
【００８３】
印刷装置１０では、ヒータ２６（即ち、処理部）が、搬送向き６において読取部７４よりも上流且つ画像記録部２４の下流に位置する。この場合、第２姿勢の読取部７４は、搬送向き６の下流へ向く。即ち、第２姿勢の読取部７４がヒータ２６へ向くことがないので、読取部７４がヒータ２６の処理（具体的には、加熱処理）の影響を受け難い。
【００８４】
印刷装置１０では、巻取装置２９（即ち、巻取機構）が搬送向き６において読取部７４よりも下流で連続紙１１を巻き取る。これにより、画像が記録された連続紙１１が巻き取られるため、作業者による作業性が向上する。
【００８５】
印刷装置１０では、第１モードに設定されている場合、読取部７４は、第１基準信号の取得時（図７のＳ１５）と、連続紙１１の記録面の画像読取時（即ち、Ｓ１１０の記録不良の判定時）とに第１姿勢をとる。これにより、第１モード、より具体的には、Ｓ１５とＳ１１０の間で、読取部７４を姿勢変化するための時間が不要となる。
【００８６】
「変形例」
上記実施形態では、画像記録部２４はインクジェット記録方式であった。しかし、これに限らず、画像記録部２４は、熱転写方式やレーザ方式（電子写真方式）等、他の記録方式でもよい。上記実施形態では、画像記録部２４は、所謂ラインヘッド方式であった。しかし、これに限らず、画像記録部２４は、所謂シリアルヘッド方式でもよい。画像記録部２４に形成される複数のノズル孔２４Ｂは、下面２４Ａにおいて左右方向９及び前後方向８に配列されていてもよい。画像記録部２４は、連続紙１１以外にも裁断紙に画像を記録可能であってもよい。
【００８７】
上記実施形態では、画像記録部２４は、連続紙１１にバーコード画像を記録していた。しかし、これに限らず、画像記録部２４は、バーコード画像以外の画像を記録してもよい。
【００８８】
上記実施形態では、読取部７４は、左右方向９に配列された複数の受光素子を有していた。しかし、これに限らず、読取部７４は、左右方向９及び前後方向８の双方向に配列された複数の受光素子を有していてもよい。
【００８９】
上記実施形態では、光源ユニット７２は、導光体及び発光素子の組み合わせであった。しかし、これに限らず、光源ユニット７２は、左右方向９に沿って配列された複数の発光素子（即ち、発光素子アレイ）や、左右方向９に長い蛍光ランプでもよい。
いる。
【００９０】
上記実施形態では、第１基準部材３１Ａ及び第２基準部材３１Ｂは白色であった。しかし、これに限らず、第１基準部材３１Ａ及び第２基準部材３１Ｂは、画像読み取りの基準を決めることが可能であれば何色であってもよい。
【００９１】
上記実施形態では、姿勢変化機構３２が読取部７４を第１姿勢及び第２姿勢に姿勢変化させ、移動機構３３が第２基準部材３１Ｂを位置Ｐ６、Ｐ５間で変位させていた。この実施形態では、第２基準部材３１Ｂをイメージセンサ２７に近接させやすい。しかし、これに限らず、印刷装置１０は、姿勢変化機構３２及び移動機構３３の少なくとも一方を備えていればよい。特に、移動機構３３のみの場合、移動機構３３は、第２基準部材３１Ｂを、連続紙１１とイメージセンサ２７の筐体７１との間の介在位置と、介在位置から離れた退避位置とに移動させる。
【００９２】
上記実施形態では、姿勢変化機構３２がイメージセンサ２７の読取部７４を回動させていた。より詳細には、姿勢変化機構３２は、左右方向９に細長いイメージセンサ２７を、左右方向９に沿う軸心７２Ａ周りに回動させていた。これにより、内部空間１４４という限られた空間内で読取部７４の姿勢を変化させることができる。しかし、これに限らず、印刷装置１０において、第１基準部材３１Ａ及び第２基準部材３１Ｂが左右方向９において互いに離間している場合、姿勢変化機構３２は、イメージセンサ２７を左右方向９にスライドさせることで読取部７４の姿勢を変化させてもよい。
【００９３】
上記実施形態では、ヒータ２６を処理部の一例として説明した。しかし、これに限らず、処理部は、紫外線照射装置でもよい。この場合、タンク７０にはＵＶ硬化インクが貯留される。
【００９４】
上記実施形態では、巻取装置２９は印刷装置１０の前壁１４２Ａに着脱可能であった。しかし、これに限らず、巻取装置２９は、印刷装置１０の内部に収容されていてもよい。
【００９５】
上記実施形態では、コントローラ９１は、第１基準信号及び第２基準信号に基づいて、Ｓ１１０の記録不良の判定に用いる読取基準値を決定していた。しかし、これに限らず、コントローラ９１は、第１基準信号及び第２基準信号に基づいて、イメージセンサ２７のシェーディング補正を行ってもよい。即ち、第１基準部材３１Ａ及び第２基準部材３１Ｂは、読取部７４の出力信号に基づく画像読み取りの基準を決めることを目的に印刷装置１０に位置する。画像読み取りの基準を決めることには、シェーディング補正等において読取部７４に含まれる各受光素子の出力電気信号のレベルを補正するための基準を決めることも含まれる。
【００９６】
上記実施形態では、コントローラ９１は、プラグ２９Ｂがレセプタクル１４７に差し込まれているか否かに応じて（Ｓ１１）、第１モード及び第２モードのいずれに設定されているのかを判定していた（Ｓ１４）。しかし、これに限らず、操作パネル１７を用いたマニュアル操作により、作業者が第１モード及び第２モードを設定してもよい。この場合、コントローラ９１は、操作パネル１７からの出力信号に基づき、第１モード及び第２モードのいずれか一方を示すモード情報をＥＥＰＲＯＭ９１Ｄに記憶させ、モード情報に基づき、第１モード及び第２モードのいずれに設定されているのかを判定してもよい（図７のＳ１４）。
【００９７】
上記実施形態では、Ｓ１１３、Ｓ１２２において、コントローラ９１は、連続紙１１を切断していた。しかし、これに限らず、コントローラ９１は、連続紙１１を切断しなくともよい。
【００９８】
上記実施形態では、Ｓ１１３、Ｓ１２２において連続紙１１の切断後にも、連続紙１１は、イメージセンサ２７及び第１基準部材３１Ａの間に残っていた。しかし、これに限らず、コントローラ９１は、Ｓ１１３、Ｓ１２２において、連続紙１１の切断後、筐体１４内に残る連続紙１１の先端を、搬送路２２においてイメージセンサ２７及び第１基準部材３１Ａの間の位置より上流（具体的には、搬送ローラ５４の位置）まで戻してもよい。
【００９９】
上記実施形態では、印刷装置１０は、搬送ローラ対５４、５５により連続紙１１を搬送向き６に搬送していた。しかし、これに限らず、印刷装置１０は、搬送ローラ対５４、５５に代えて、搬送ベルトにより連続紙１１を搬送向き６に搬送してもよい。この場合、連続紙１１は、静電気又は負圧により搬送ベルトに吸着された状態で搬送されることが好ましい。
【符号の説明】
【０１００】
１０・・・印刷装置
２２・・・搬送路
１１・・・連続紙
６・・・搬送向き
５４、５５・・・搬送ローラ対（搬送部）
２４・・・画像記録部
２７・・・イメージセンサ
７４・・・読取部
３１Ａ・・・第１基準部材
３１Ｂ・・・第２基準部材
３２・・・姿勢変化機構
３３・・・移動機構
２６・・・ヒータ（処理部）
２９・・・巻取装置（巻取機構）
９１・・・コントローラ
【図１】
2020184681.tif 000003
【図２】
2020184681.tif 000004
【図３】
2020184681.tif 000005
【図４】
2020184681.tif 000006
【図５】
2020184681.tif 000007
【図６】
2020184681.tif 000008
【図７】
2020184681.tif 000009